(57)【要約】      （修正有）【課題】ワイヤレス電話から設定された呼のための適正な発生方法を自動的に決定する方法を提供する。【解決手段】ワイヤレス電話のための呼発生スキームは、設定すべき無音リダイアルの数と、好ましいモード（アナログ，デジタル、などをリストする。ワイヤレス電話によってダイアル可能な各電話番号は、スキームと関連付けられ１０２、この関連付け１０４を表わすデータは電話に記憶される。キーパッド上の一連のキーを押し下げるなどによって、番号が電話１０６に入力されるとき、電話はその番号に関連付けられたスキームを決定１０８し、当該スキームに従って呼１１０を設定する。【選択図】図１
2011250415.tif 000002
【特許請求の範囲】
【請求項１】
ワイヤレス電話呼を発生するための方法であって、
（ａ）  （１）  少なくとも、第１の呼発生スキームを呼び出される少なくとも第１の起こり得る電話番号に関連付けるとともに、
（２）  第２の呼発生スキームを呼び出される少なくとも第２の起こり得る電話番号に関連付け（１０２）、
（ｂ）  ワイヤレス電話において上記関連付けを表わすデータを記憶し（１０４）、
（ｃ）  前記電話番号の１つをワイヤレス電話に入力し（１０６）、
（ｄ）  前記入力された電話番号に関連する前記呼発生スキームを決定し（１０８）、
（ｅ）  上記関連付けられた呼発生スキームに従って呼を設定すること（１１０）
を含むことを特徴とする方法。
【請求項２】
前記データはルックアップテーブルを含むことをさらなる特徴とする請求項１記載の方法。
【請求項３】
前記データはスクリプトを含むことをさらなる特徴とする請求項１記載の方法。
【請求項４】
前記関連付けは、
（ａ）  （１）  少なくとも第１の複数の電話番号を第１のタイプにグループ化するとともに、
（２）  少なくとも第２の複数の電話番号を第２のタイプにグループ化し（１１２）、
（ｂ）  （１）  前記第１の呼発生スキームを前記第１のタイプに関連付けるとともに、
（２）  前記第１の呼発生スキームを前記第２のタイプに関連付けること（１１４）
を含むことを特徴とする請求項１記載の方法。
【請求項５】
（ａ）  前記グループ化は、前記ワイヤレス電話の外部で発生し（１１６）、
（ｂ）  前記グループ化を表わすデータは電話内にロードされる（１１８）こと
をさらなる特徴とする請求項４記載の方法。
【請求項６】
前記少なくとも１つのタイプは、以下の少なくとも１つであることをさらなる特徴とする請求項４記載の方法。
（ａ）  緊急（６０２）
（ｂ）  標準オーバザエアサービス規定（６０４）
（ｃ）  非標準のオーバザエアサービス規定（６０６）
（ｄ）  音声（６０８）
（ｅ）  データ（６１０）
【請求項７】
前記方法は、ワイヤレス電話において前記グループ化された電話番号を電話帳（５１２）に記憶することを含むことをさらなる特徴とする請求項４記載の方法。
【請求項８】
各呼発生スキームは以下の要素の少なくとも１つを含む
（ａ）  前記第１の発生行為が失敗した場合に行うべき呼の発生（７０２）の数
（ｂ）  サービスの好ましいモード（７０４）
（ｃ）  今すぐに利用可能でないときにサービスを待つかどうか（７０６）。
【請求項９】
前記方法は、少なくとも１つの呼発生スキームに対して、
（ａ）  失敗した発生行為がなぜ失敗したかについての理由を決定すること（８０４）と、
（ｂ）  当該理由に関しての少なくとも１つの次の発生行為の少なくとも１つの要素を調整すること、
を含むことをさらなる特徴とする請求項１記載の方法。
【請求項１０】
前記理由は、少なくとも１つの呼発生スキームに対して、以下の事象の少なくとも１つを含むことをさらなる特徴とする請求項９記載の方法。
（ａ）  阻止（９０２）
（ｂ）  フェード（９０４）及び
（ｃ）  カスタマではない（９０６）
【請求項１１】
ワイヤレス電話呼を発生するための装置であって、
（ａ）（１）  少なくとも
第１の呼発生スキームを呼び出される少なくとも第１の起こり得る電話番号に関連付けるとともに、
（２）  第２の呼発生スキームを読み出される少なくとも第２の起こり得る電話番号に関連付ける（１０２）ための手段と、
（ｂ）  ワイヤレス電話において関連付けを表わすデータを記憶する（１０４）ための手段と、
（ｃ）  前記電話番号の１つを前記ワイヤレス電話に入力する（１０６）ための手段と、
（ｄ）  前記入力された電話番号に関連付けられた前記呼発生スキームを決定する（１０８）ための手段と、
（ｅ）  前記関連付けられた呼発生スキームに従って、前記呼を設定する（１１０）ための手段と
を含むことを特徴とする装置。
【請求項１２】
前記データはルックアップテーブル（１２０）を含むことをさらなる特徴とする請求項１１記載の装置。
【請求項１３】
前記データはスクリプト（１２２）を含むことをさらなる特徴とする請求項１１記載の装置。
【請求項１４】
関連付ける前記手段は、
（ａ）  （１）  少なくとも第１の複数の電話番号を第１のタイプにグループ化するとともに、
（２）  少なくとも第２の複数の電話番号を第２のタイプにグループ化する（１１２）ための手段と、
（ｂ）  （１）  前記第１の呼発生スキームを前記第１のタイプに関連付けるとともに、
（２）  前記第２の呼発生スキームを前記第２のタイプに関連付ける（１１４）ための手段と、
を含むことをさらなる特徴とする請求項１１記載の装置。
【請求項１５】
（ａ）  前記グループ化は、前記ワイヤレス電話の外部（１１６）で発生し、
（ｂ）  前記グループ化を表わすデータは前記電話内にロードされる（１１８）ことをさらなる特徴とする請求項１４記載の装置。
【請求項１６】
少なくとも１つのタイプは以下のタイプの少なくとも１つであることをさらなる特徴とする請求項１４記載の装置。
（ａ）  緊急（６０２）
（ｂ）  標準オーバザエアサービス規定（６０４）
（ｃ）  非標準のオーバザエアサービス規定（６０６）
（ｄ）  音声（６０８）及び
（ｅ）  データ（６１０）
【請求項１７】
前記装置は、前記ワイヤレス電話において前記グループ化された電話番号を電話帳（５１２）に記憶するための手段を含むことをさらなる特徴とする請求項１４記載の装置。
【請求項１８】
各呼発生スキームは、以下の要素の少なくとも１つを含むことを特徴とする請求項１１記載の装置。
（ａ）  前記第１の発生行為が失敗したときに行われるべき発生（７０２）の数
（ｂ）  サービスの好ましいモード（７０４）
（ｃ）  今すぐに利用可能でないときにサービスを待つかどうか（７０６）。
【請求項１９】
前記装置は、少なくとも１つの呼発生スキームに対して、
（ａ）  失敗した発生行為がなぜ失敗したかについての理由を決定する（８０４）ための手段と、
（ｂ）  前記理由に関する少なくとも１つの次の発生行為の少なくとも１つの要素を調整する（８０６）ための手段と、
を含むことをさらなる特徴とする請求項１１記載の装置。
【請求項２０】
前記理由は、少なくとも１つの呼発生スキームに対して、以下の事象の少なくとも１つを含むことをさらなる特徴とする請求項１９記載の装置。
（ａ）  阻止（８０２）
（ｂ）  フェード（８０４）
（ｃ）  カスタマではない（８０６）。
【発明の詳細な説明】
【技術分野】
【０００１】
１．技術分野
本発明はワイヤレス電話装置に関し、特に、ワイヤレス電話から設定された呼のための適正な発生方法を自動的に決定することに関連する。
【背景技術】
【０００２】
２．背景技術
地上線による電話システムにおいては、電話の呼び出しは電話の呼び出しそのものである。呼び出しがうまくいけば、電話は通じる。呼び出しがうまくいかない場合、ユーザは後で再び呼び出しを行う。
【０００３】
さらに、地上の電話のネットワークあるいはサービスプロバイダは、システムをさらに最適化して、呼発生がうまくいく確率をさらに増大させようとしない。
【０００４】
いくつかの装置は自動リダイアル機能を備えている。送信ファックス機が受信ファックス機を呼び出したときに、受信ファックス機がビジー状態であるならば、送信ファックス機は、漸次的により長い間隔で、読み出しがうまくいくかあるいは試みが所定最大回数に到達するまで読み出しを再度試みる。
【０００５】
インターネットサービスプロバイダに到達しようとする家庭用コンピュータは、それが最初にうまくいかないときには、上記と同様の試みを反復する。さらに、地上の電話システムでは柔軟性を備えていない。電話の呼び出しは電話の呼び出しそのものである。
【発明の概要】
【０００６】
本発明の簡単な開示
ワイヤレス電話システムにおいて、出願人は、すべての電話呼び出しが同じものではなく、すべてのネットワークが同じものではない、ことに気がついた。例えば、いくつかのネットワークは符号分割多元接続（“ＣＤＭＡ”）と先進的移動電話システム（“ＡＭＰＳ”）の機能を備えているが、他のネットワークはＣＤＭＡシステムのみを有している。加えて、あるネットワークは、異なるネットワークと比較して、ＲＥＯＲＤＥＲなどの特別の呼発生失敗表示を返信するようになっている。さらに、他のネットワークでは概して、発生失敗表示時間周期、すなわち、呼発生開始時間から移動体がネットワークから発生失敗表示を受けるまでの時間間隔、が変化する。
【０００７】
説明すべき他の変数は呼の種類である。例えば、通常のよびだしでは、正規の呼が３０秒間に最大４回音なしで再ダイアルするのに対して、緊急９１１呼は、呼が首尾よく接続される（あるいは電池がなくなる）まで終わり無く再ダイアルされることが必要である。
【０００８】
異なる種類の呼の発生を最適化するために、呼手順(call plan)は各呼のタイプと関連付けられる。呼のタイプは単に、グループ化され、特定の所定の呼のタイプと関連付けられるダイアル列のサブセットである。所定の呼のタイプの一例は、音声、緊急、データ、ファックス、パケット、ＯＴＡＳＰ(Over The Air Service Provisioning)（オーバザエアサービス規定）、テスト（マルコフ、ルップバック）、そしてＳＭＳ（ショートメッセージサービス）である。
【０００９】
各呼のタイプとともに、一組のダイアル列が関連している。例えば、ダイアル列のサブセット｛“９１１”、“＊９１１”、“♯９１１”｝は、緊急呼のタイプに関連する。言い換えると、この組に入るどのようなダイアル列も“緊急”タイプであるとみなされる。一方、この組に入らないどのようなダイアル列も“緊急”タイプとみなされない。
【００１０】
異なるワイヤレスサービスプロバイダがワイヤレス電話のユーザに利用可能である。これらのプロバイダはワイヤレス電話のユーザに対して異なる価格で異なるサービスを提供し、これらのサービス及び価格は呼ばれる電話番号に依存している。ワイヤレス電話のユーザは、電話番号（あるいは少なくとも電話番号のタイプ）に基づいて呼発生スキームをカスタマイズ可能である。“呼発生スキーム”は、何回リダイアルを行うのか、どのサービスプロバイダを使用するのか、サービスのどのモード（例えば符号分割多元接続対周波数分割多元接続）を使用するのか、などに関する決定を意味する。
【００１１】
表１は、好ましい発生手順テーブルを示す。表１に示すように、呼発生手順テーブルの各エントリは呼のタイプ及び／又はダイアル列を呼発生手順に関連付ける。呼発生手順は、関連付けられた呼のタイプ及び／又はダイアル列に対して発生プロセスを行うのに必要なすべての情報を保持する。
【００１２】
表２は、表１に示されるフィールドの説明である。
【００１３】
表３は、発生手順テーブルの一例である。このテーブルは最上部から最下部へと探索されることに注意されたし。特定の呼タイプ／ダイアル列が１つ以上のテーブルエントリに対して対応付けられる場合には、最上部から第１番目のエントリは発生手順を示す。
【００１４】
発生手順は以下に示すように１つのテーブルあるいは一組のテーブルを使用して特定することができる。そのようなテーブルにおいて、各エントリは特定の呼のタイプに関連した発生手順変数を特定する。あるいは、発生手順変数はスクリプトと置き換え可能である（図３を参照）。
【表１】
2011250415.tif 000003
【表２】
2011250415.tif 000004
【表３】
2011250415.tif 000005
【図面の簡単な説明】
【００１５】
【図１】本発明による方法のフローチャートである。
【図２】図１の方法において使用されるテーブルである。
【図３】図１の方法において使用されるスクリプトである。
【図４】図１の方法においてタイピングの使用を示す一対のテーブルである。
【図５】本発明による電話のブロック図である。
【図６】図４において使用されるタイプの一部である。
【図７】図１に含まれる呼発生スキームの要素の一部である。
【図８】本発明による失敗処理ルーチンのブロック図である。
【図９】図８のルーチンにより処理される失敗に対する理由の一部を示す図である。
【符号の説明】
【００１６】
１００  本発明による方法
１０２  スキームを番号に関連付け
１０４  データを記憶
１０６  番号入力
１０８  スキームを決定
１１０  呼を設定
１１２  タイプにグループ化
１１４  タイプを関連付け
１１６  外部でグループ化
１１８  データをロード
１２０  ルックアップテーブル
１２２  スクリプト
【発明を実施するための形態】
【００１７】
図１は、ワイヤレス電話呼を発生するための、本発明による方法（１００）のフローチャートである。第１の呼発生スキームは、少なくとも第１の起こり得る電話番号に関連付けられ（１０２）、第２の呼発生スキームは、少なくとも第２の起こり得る電話番号に関連付けられる（１０２）。各スキームは都合に応じた数の電話番号と関連しており、そして都合に応じたスキームが存在する。しかし、各電話番号はただ１つのスキームに関連している。次にそれぞれの関連を表わすデータはワイヤレス電話内に記憶される（１０４）。
【００１８】
“ワイヤレス電話”という言葉はここでは広い意味で使用され、ワイヤレス電話ネットワークを介して呼の設定が可能な任意の装置を意味する。したがって、従来のワイヤレス電話に限定されず、ワイヤレスファックス機、ワイヤレスコンピュータ、などをも含む。
【００１９】
次にキーパッド上の一連のキーを押し下げるなどにより、電話番号がワイヤレス電話に入力される（１０６）。この番号は予め呼発生スキームに関連付けられたものである。続いてワイヤレス電話はたった今入力された電話番号に関連するスキームを決定する（１０８）。次に電話は関連するスキームに従って呼を設定する（１１０）。
【００２０】
関連付けプロセス（１０２）は直接的なプロセスかあるいは、２つの部分からなるものである。後者の場合、まず電話番号がタイプにグループ化され（１１２）、次に各タイプは呼発生スキームに関連付けられる（１１４）。この場合、少なくとも第１の複数の電話番号が第１のタイプにグループ化され、第２の複数の電話番号が第２のタイプにグループ化される。次に第１のタイプは第１の呼発生スキームに関連し、第２のタイプは第２の呼発生スキームに関連する。必要に応じてさらなるタイプが使用される。
【００２１】
電話番号をワイヤレス電話に入力して、それをタイプに割り当てることが可能である。しかしながら、しばしば、ワイヤレス電話の外部でグループ化を行って（１１６）、グループ化を表わすデータを電話内にロードする（１１８）ことが望ましい。このことは、単一のモデルの電話を多くのワイヤレスサービスプロバイダのために製造することを可能にする。各サービスプロバイダは自身の目的に最も適したデータをロードする。
【００２２】
図２は、図１の方法において使用されるテーブル（２００）である。各列の最も左のセルは、個々の電話番号を示す。残りのセルは電話番号に関連した呼発生スキームの要素を示す。これは、第１のダイアルがうまくいかなかったときに行われる無音のリダイアルの数、先進的移動電話システム（ＡＭＰＳ）を強制すべきかどうか、サービスに対する要求が阻止されたときに電話はサービスを待つべきかどうか、などについてのことがらを含む。目前のサービスが否定されたときには呼は“阻止”されるが、サービスはすぐに利用可能となる旨の表示がなされる。すなわち、否定された呼は近い将来には利用に供しないとう点において、阻止は否定とは異なるものである。これらの要素は単なる一例であり、表のぎざぎざの右端により示されるように、他の要素も使用可能である。テーブルのぎざぎざの底部はさらなる電話番号が使用可能であることを示している。ここに示される番号は例示的なものである。
【００２３】
図３は、図１の方法において使用されるスクリプト（３００）である。あらゆる電話番号をもれなくリスト化するのではなく、スクリプト（コンピュータプログラム）が最重要デジィット（Most Significant Digit）（ＭＳＤ）あるいは電話番号についての他の情報を取得して、それにタイプを割り当てるかあるいは、（最後のラインに示されるように）呼発生スキームの要素を設定する。必要に応じてスクリプト及びルックアップテーブルが組み合わせて使用される。
【００２４】
図４は、図１の方法におけるタイピングの使用を示す一対のテーブル（４００）である。第１のテーブル（４０２）は、各電話番号をタイプに関連付ける。第２のテーブル（４０４）は、各タイプを呼発生スキームに関連付ける。例えば、ワイヤレスサービスプロバイダは、オーバザエアサービス規定（ＯＴＡＳＰ）番号を有する。これは、ワイヤレス電話の新たな購入者がワイヤレスサービスプロバイダからサービスを取得するために電話をするときの番号である。そのような呼（無音リダイアルがいくつか、ＡＭＰＳを強制すべきかどうかなど）に対する呼発生スキームは、従来の呼に対するスキームとはしばしば異なる。ＯＴＡＳＰ番号が非標準（ＮＳＯＴＡＳＰ）であるならば、そのスキームはまだ異なっている。サービスプロバイダは、いくつかの新たなカスタマが同時に署名をするためのいくつかのＯＴＡＳＰ番号を有している。これらの番号の各々をタイプ“ＯＴＡＳＰ”のみに関連付けられることはしばしば都合がよい場合がある。このことは、すべての電話番号に対してＯＴＡＳＰタイプに関連した呼発生スキームのすべてを反復する必要をなくす。
【００２５】
図５は本発明による電話（５００）のブロック図である。従来の電話（５０２）は、アダプタ（５０６）を介してデータ（５０４）を受信する。これらのデータはルックアップテーブルあるいは、電話番号をタイプにグループ化することを表わしている。これらのデータは不揮発性メモリ（５０８）に記憶される。それらはルックアップテーブル（５１０）あるいはグループ化された番号の電話帳（５１２）、あるいは両者を含むものである。
【００２６】
図６は、図４において使用されるタイプ（６００）のいくつかを示している。これらは緊急（６０２）、オーバザエアサービス規定（ＯＴＡＳＰ）（６０４）、非標準のオーバザエアサービス規定（ＮＳＯＴＡＳＰ）（６０６）、音声（６０８）、そしてデータ（６１０）を含む。図示されたタイプに加えて、あるいはそれらの代わりに、他のタイプも使用される。
【００２７】
図７は、図１に含まれる呼発生スキームの要素（７００）の一部を示す。これらは、第１のダイアルがうまくいかなかったときに行われる無音リダイアル（７０２）の数として、サービスの好ましいモード（７０４）や、サービスに対する要求が阻止されたならばサービスを待つべきかどうか（７０６）などを含む。サービスの“モード”は使用される技術（符号分割多元接続（ＣＤＭＡ）、時分割多元接続（ＴＤＭＡ）、先進的移動電話サービス（ＡＭＰＳ）など）、動作周波数（セルラ−８００ＭＨｚ、パーソナル通信システム（ＰＣＳ）−１９００ＭＨｚ、など）、及び同様の要因を含む。
【００２８】
図８は、本発明による失敗処理ルーチンのブロック図（８００）である。電話番号をダイアルした後、サービスを獲得するのに失敗した場合（８０２）、電話は当該失敗に対する理由を決定し、当該理由に関する１つの呼発生行為の少なくとも１つの要素を調整する。
【００２９】
図９は、図８のルーチンにより処理される失敗に対する理由（９００）の一部を示す。呼が阻止された場合（９０２）、データ呼に対する一般的な呼発生スキームは短い遅延の後に同じモードでのリダイアルを提供する。緊急呼に対する一般的な呼発生スキームは、異なるモードを使用する迅速なリダイアルを提供する。しかしながら、理由がフェード（９０４）であるならば、呼のすべてのタイプに対する一般的なスキームは、わずかの遅延の後に再び試みることである。カスタマではない（９０６）が理由であった場合には、すべてのスキームにおいて異なるサービスプロバイダへの切り替えが必要になる。これらのスキームは例示的なものであり、他のスキームも使用可能である。同様にして、失敗に対する上記の理由は例示的なものであり、それらの理由に加えて、あるいはその代わりに他の理由も使用できる。
【００３０】
工業上の応用
本発明は工業上利用可能であり、ダイアル番号を呼発生スキームと関連付けることが望まれた場合にはいつでも製造されかつ使用される。ここに示された装置及び方法の個々の要素は、分離して互いに別個なものとして考えた場合、まったく従来のものであり、それらの組み合わせを本発明として請求するものである。
【００３１】
装置及び方法の種々のモードについて説明したが、本発明の真の精神及び範囲はそれらに限定されるものではなく、本発明として請求される以下の請求の範囲及びそれらの等価物によってのみ限定される。
【図１】
2011250415.tif 000006
【図２】
2011250415.tif 000007
【図３】
2011250415.tif 000008
【図４】
2011250415.tif 000009
【図５】
2011250415.tif 000010
【図６】
2011250415.tif 000011
【図７】
2011250415.tif 000012
【図８】
2011250415.tif 000013
【図９】
2011250415.tif 000014
【手続補正書】
【提出日】平成23年7月1日(2011.7.1)
【手続補正１】
【補正対象書類名】特許請求の範囲
【補正対象項目名】全文
【補正方法】変更
【補正の内容】
【特許請求の範囲】
【請求項１】
ワイヤレス電話呼を発生するための方法であって、
（ａ）  （１）  少なくとも、第１の呼発生スキームを呼び出される少なくとも第１の起こり得る電話番号に関連付けるとともに、
（２）  第２の呼発生スキームを呼び出される少なくとも第２の起こり得る電話番号に関連付け（１０２）、
（ｂ）  ワイヤレス電話において上記関連付けを表わすデータを記憶し（１０４）、
（ｃ）  前記電話番号の１つをワイヤレス電話に入力し（１０６）、
（ｄ）  前記入力された電話番号に関連する前記呼発生スキームを決定し（１０８）、
（ｅ）  上記関連付けられた呼発生スキームに従って呼を設定すること（１１０）
を含むことを特徴とする方法。
【外国語明細書】
2011250415000001.pdf